(57)【要約】【課題】テレビジョン受像機において、ユーザが出かける前にその日の注意事項を表したメッセージを確実に表示すると共に、表示したメッセージを記録媒体から容易に消去する。【解決手段】 テレビ（テレビジョン受像機）は、メッセージ等を記録するメモリを備え、電源ボタンが押されると（Ｓ２）、メモリに未表示のメッセージが記録されている場合（Ｓ４でＹＥＳ）、制御用マイコンは、スピーカから警告音を発生させると共に、メモリに記録されている未表示のメッセージをディスプレイに表示させる（Ｓ５）。そして、ユーザがリモコンの決定ボタンを押下すると（Ｓ６）、制御用マイコンは、警告音を止めると共に、ディスプレイに表示したメッセージをメモリから消去した後（Ｓ７）、メモリに未表示のメッセージがあるか否かを判断し（Ｓ８）、メモリに未表示のメッセージがない場合（Ｓ９でＹＥＳ）、テレビの電源をオフ状態にする（Ｓ１０）。【選択図】図３
2007221595.tif 000002
【特許請求の範囲】
【請求項１】
テレビジョン放送信号（以下、ＴＶ放送信号という）を受信するチューナと、
ケーブルを介してインターネットに接続するためのネットワークインタフェースと、
前記チューナによって受信したＴＶ放送信号に含まれる映像信号に基いた映像、及び各種のメッセージ等を表示する表示手段と、
前記チューナによって受信したＴＶ放送信号に含まれる音声信号に基いた音声を出力する音声出力手段と、
装置本体の電源のオン／オフを切替えるための電源ボタン等を有する操作手段と、
装置各部を制御する制御手段とを備えたテレビジョン受像機において、
前記ネットワークインタフェースを介して電子メールを受信する電子メール受信手段と、
前記操作手段を操作することによって入力されたメッセージ、又は前記電子メール受信手段により受信したメッセージ等を記録する記録媒体と、
前記記録媒体にメッセージが記録されているか否かを判断するメッセージ判断手段と、
前記音声出力手段から警告音を出力させるアラーム制御手段とをさらに備え、
前記操作手段は、前記制御手段による処理をユーザが確認したことを指示するための確認ボタンをさらに有し、
前記制御手段は、
ユーザが装置本体の電源切断時に前記電源ボタンを押下したとき、前記メッセージ判断手段を用いて、前記記録媒体に未表示のメッセージが記録されているか否かを判断し、
前記判断の結果、前記記録媒体に未表示のメッセージが記録されている場合、前記アラーム制御手段を用いて、前記音声出力手段から警告音を発生させると共に、該記録媒体に記録されている未表示のメッセージを前記表示手段に表示させ、ユーザが前記確認ボタンを押下すると、前記警告音を止めると共に、該表示手段に表示したメッセージを前記記録媒体から消去した後、前記メッセージ判断手段を用いて、前記記録媒体にまだ表示していないメッセージがあるか否かを判断する処理を繰り返し、
前記判断の結果、前記記録媒体に未表示のメッセージが記録されていない場合、装置本体の電源をオフ状態にすることを特徴とするテレビジョン受像機。
【請求項２】
テレビジョン放送信号（以下、ＴＶ放送信号という）を受信するチューナと、
前記チューナによって受信したＴＶ放送信号に含まれる映像信号に基いた映像、及び各種のメッセージ等を表示する表示手段と、
前記チューナによって受信したＴＶ放送信号に含まれる音声信号に基いた音声を出力する音声出力手段と、
装置本体の電源のオン／オフを切替えるための電源ボタン等を有する操作手段と、
装置各部を制御する制御手段とを備えたテレビジョン受像機において、
前記操作手段を操作することによって入力されたメッセージ等を記録する記録媒体と、
前記記録媒体にメッセージが記録されているか否かを判断するメッセージ判断手段とをさらに備え、
前記操作手段は、前記制御手段による処理をユーザが確認したことを指示するための確認ボタンをさらに有し、
前記制御手段は、
ユーザが装置本体の電源切断時に前記電源ボタンを押下したとき、前記メッセージ判断手段を用いて、前記記録媒体に未表示のメッセージが記録されているか否かを判断し、この判断の結果、該記録媒体にメッセージが記録されている場合、該記録媒体に記録されている未表示のメッセージを前記表示手段に表示させ、ユーザが前記確認ボタンを押下すると、該表示手段に表示したメッセージを前記記録媒体から消去することを特徴とするテレビジョン受像機。
【請求項３】
ケーブルを介してインターネットに接続するためのネットワークインタフェースと、
前記ネットワークインタフェースを介して電子メールを受信する電子メール受信手段とをさらに備え、
前記電子メール受信手段により受信したメッセージが、前記記録媒体に記録されることを特徴とする請求項２に記載のテレビジョン受像機。
【発明の詳細な説明】
【技術分野】
【０００１】
本発明は、テレビジョン受像機（以下、テレビと略す）に関し、特にメッセージの表示に関する。
【背景技術】
【０００２】
従来より、画面に所定のメッセージを表示することができるテレビが知られている。
【０００３】
この種の装置において、特許文献１の発明は、メッセージを表示するためのメッセージデータを記録するメモリと、各メッセージの選択操作、及び表示タイミングの指定操作が可能なリモコンと、指定された表示タイミングが到来したときに、そのタイミングに関連付けた表示対象メッセージをディスプレイに表示させる制御部とを備えたテレビである。
【０００４】
特許文献２の発明は、映像機器から映像信号が入力される複数の入力端子と、各入力端子に映像信号が入力されているか否かを検出する制御部とを備え、この検出結果に基づき、制御部が、電源オフ時に映像機器の電源が入っている旨の警告メッセージをディスプレイに表示するテレビである。
【０００５】
特許文献３の発明は、ユーザが指定したメッセージをメモリに記録し、装置本体の電源をオンした時に、制御部がメモリからメッセージを呼び出し、ディスプレイに表示するテレビである。
【０００６】
特許文献４の発明は、ユーザが日めくりキーを押すと、チューナから受信した放送番組の映像信号をディスプレイに出力すると共に、メモリから本日のスケジュールデータを読み出し、ディスプレイにスケジュールデータに記録されたメッセージを表示することができるテレビである。このテレビによれば、ユーザが放送番組の映像を見ながら本日のスケジュールを知ることができる。しかし、この発明では、ユーザが日めくりキーを押さなければ、本日のスケジュールを知ることができない。
【０００７】
特許文献５の発明は、ユーザが電源をオフする操作をすると、電源オフ操作に伴う受信映像の消去を知らせる旨のメッセージをディスプレイに表示し、このメッセージの表示を終了した後、電源をオフ状態にするテレビである。
【０００８】
しかし、上記特許文献１乃至特許文献５に記載された発明では、ユーザが出かける前にその日の注意事項を表したメッセージを確実に表示して、ユーザに当日必要な書類等についての注意を促すことができない。また、上記特許文献１及び特許文献３の発明ではディスプレイに表示したメッセージをメモリから簡単に消去することができない。
【特許文献１】特開２００４−２８２５７７号公報
【特許文献２】特開２００３−２８０６２５号公報
【特許文献３】特開平１０−２７６３７９号公報
【特許文献４】特開平９−３７１７６号公報
【特許文献５】特開平９−２３３９２号公報
【発明の開示】
【発明が解決しようとする課題】
【０００９】
本発明は、上記問題を解決するためになされたものであり、ユーザが出かける前に記録媒体に記録されているメッセージを表示手段に確実に表示させることができると共に、表示手段に表示したメッセージを記録媒体から容易に消去することが可能であるテレビジョン受像機を提供することを目的とする。
【課題を解決するための手段】
【００１０】
上記目的を達成するために請求項１の発明は、テレビジョン放送信号（以下、ＴＶ放送信号という）を受信するチューナと、ケーブルを介してインターネットに接続するためのネットワークインタフェースと、前記チューナによって受信したＴＶ放送信号に含まれる映像信号に基いた映像、及び各種のメッセージ等を表示する表示手段と、前記チューナによって受信したＴＶ放送信号に含まれる音声信号に基いた音声を出力する音声出力手段と、装置本体の電源のオン／オフを切替えるための電源ボタン等を有する操作手段と、装置各部を制御する制御手段とを備えたテレビジョン受像機において、前記ネットワークインタフェースを介して電子メールを受信する電子メール受信手段と、前記操作手段を操作することによって入力されたメッセージ、又は前記電子メール受信手段により受信したメッセージ等を記録する記録媒体と、前記記録媒体にメッセージが記録されているか否かを判断するメッセージ判断手段と、前記音声出力手段から警告音を出力させるアラーム制御手段とをさらに備え、前記操作手段は、前記制御手段による処理をユーザが確認したことを指示するための確認ボタンをさらに有し、前記制御手段は、ユーザが装置本体の電源切断時に前記電源ボタンを押下したとき、前記メッセージ判断手段を用いて、前記記録媒体に未表示のメッセージが記録されているか否かを判断し、前記判断の結果、前記記録媒体に未表示のメッセージが記録されている場合、前記アラーム制御手段を用いて、前記音声出力手段から警告音を発生させると共に、該記録媒体に記録されている未表示のメッセージを前記表示手段に表示させ、ユーザが前記確認ボタンを押下すると、前記警告音を止めると共に、該表示手段に表示したメッセージを前記記録媒体から消去した後、前記メッセージ判断手段を用いて、前記記録媒体にまだ表示していないメッセージがあるか否かを判断する処理を繰り返し、前記判断の結果、前記記録媒体に未表示のメッセージが記録されていない場合、装置本体の電源をオフ状態にするものである。
【００１１】
請求項２の発明は、テレビジョン放送信号（以下、ＴＶ放送信号という）を受信するチューナと、前記チューナによって受信したＴＶ放送信号に含まれる映像信号に基いた映像、及び各種のメッセージ等を表示する表示手段と、前記チューナによって受信したＴＶ放送信号に含まれる音声信号に基いた音声を出力する音声出力手段と、装置本体の電源のオン／オフを切替えるための電源ボタン等を有する操作手段と、装置各部を制御する制御手段とを備えたテレビジョン受像機において、前記操作手段を操作することによって入力されたメッセージ等を記録する記録媒体と、前記記録媒体にメッセージが記録されているか否かを判断するメッセージ判断手段とをさらに備え、前記操作手段は、前記制御手段による処理をユーザが確認したことを指示するための確認ボタンをさらに有し、前記制御手段は、ユーザが装置本体の電源切断時に前記電源ボタンを押下したとき、前記メッセージ判断手段を用いて、前記記録媒体に未表示のメッセージが記録されているか否かを判断し、この判断の結果、該記録媒体にメッセージが記録されている場合、該記録媒体に記録されている未表示のメッセージを前記表示手段に表示させ、ユーザが前記確認ボタンを押下すると、該表示手段に表示したメッセージを前記記録媒体から消去するものである。
【００１２】
請求項３の発明は、請求項２に記載のテレビジョン受像機において、ケーブルを介してインターネットに接続するためのネットワークインタフェースと、前記ネットワークインタフェースを介して電子メールを受信する電子メール受信手段とをさらに備え、前記電子メール受信手段により受信したメッセージが、前記記録媒体に記録されるものである。
【発明の効果】
【００１３】
本発明によれば、ユーザが出かける前に装置本体の電源を切断しようとして電源ボタンを押下したとき、記録媒体に記録されている未表示のメッセージを表示手段に表示させることができる。これにより、ユーザが出かける前にその日の注意事項を表したメッセージを確実に表示して、ユーザに当日必要な書類等について注意を促すことができる。また、ユーザが確認ボタンを押下すると、表示手段に表示したメッセージを記録媒体から消去することができるので、表示手段に表示したメッセージを記録媒体から容易に消去することができると共に、記録媒体の空き容量が不足することを防ぐことができる。
【発明を実施するための最良の形態】
【００１４】
以下、本発明の一実施形態について、図１、及び図２を参照して説明する。図１は、ネットワークケーブル２（ケーブル）を介してインターネット３に接続されているテレビ１（テレビジョン受像機）と、このテレビ１を操作するためのリモコン５（操作手段）と、インターネット３を介してテレビ１に電子メールを送ることができる携帯電話４とから構成されるシステムを示し、図２は、同テレビ１の内部構成を示す。
【００１５】
テレビ１は、アンテナ６を介してテレビジョン放送信号(以下、ＴＶ放送信号という)を受信するチューナ１９と、ネットワークケーブル２を介してインターネットに接続するためのネットワークインタフェース１５と、チューナ１９によって受信したＴＶ放送信号に含まれる映像信号に対して所定の処理を行う映像信号処理部１６と、映像信号処理部１６から出力された映像信号に基いた映像、及び各種のメッセージ等を表示するディスプレイ１２と、チューナ１９によって受信したＴＶ放送信号に含まれる音声信号に対して所定の処理を行う音声信号処理部１７と、音声信号処理部１７から出力された音声信号に基いて音声を出力するスピーカ１３（音声出力手段）と、装置各部を制御する制御用マイコン１１（制御手段）とを備えている。
【００１６】
また、テレビ１は、リモコン５から送信された信号を受光し、制御用マイコン１１へ出力するリモコン信号受信部１８と、リモコン５を操作することによって入力されたメッセージ等を記録するメモリ１４（記録媒体）とをさらに備える。
【００１７】
制御用マイコン１１は、ネットワークインタフェース１５を介して電子メールを受信する電子メール受信手段と、メモリ１４にメッセージが記録されているか否かを判断するメッセージ判断手段と、スピーカ１３から警告音を発生させるアラーム制御手段として機能する。なお、制御用マイコン１１は、受信した電子メールのメッセージをメモリ１４に記録することが可能である。
【００１８】
リモコン５は、テレビ１の電源のオン／オフを切替えるための電源ボタン５１と、制御用マイコン１１による処理をユーザが確認したことを指示するための決定ボタン５２（確認ボタン）等を有する。
【００１９】
次に、本実施形態に係るテレビ１の電源をオフにしたときの処理について、図３を参照して説明する。まず、インターネット３を介して携帯電話４や不図示のパーソナルコンピュータからテレビ１に電子メールが送信されると、制御用マイコン１１は、送信された電子メールを受信し、受信した電子メールのメッセージをメモリ１４に記録する（Ｓ１）。また、制御用マイコン１１は、ユーザがリモコン５を操作して入力したメッセージをメモリ１４に記録する。そして、ユーザによりリモコン５の電源ボタン５１が操作され、テレビ１の電源がオフにされると（Ｓ２）、制御用マイコン１１は、メモリ１４に未表示のメッセージが記録されているか否かを判断し（Ｓ３）、この判断の結果、メモリ１４に未表示のメッセージが記録されていない場合は（Ｓ４でＮＯ）、テレビ１の電源をオフ状態にし（Ｓ１０）、処理を終了する。
【００２０】
一方、上記Ｓ３の判断の結果、メモリ１４に未表示のメッセージが記録されている場合（Ｓ４でＹＥＳ）、制御用マイコン１１は、スピーカ１３から警告音を発生させると共に、メモリ１４に記録されている未表示のメッセージをディスプレイ１２に表示させる（Ｓ５）。そして、ユーザがリモコン５の決定ボタン５２を押下すると（Ｓ６）、制御用マイコン１１は、警告音を止めると共に、ディスプレイ１２に表示したメッセージをメモリ１４から消去した後（Ｓ７）、メモリ１４に未表示のメッセージが残っているか否かを判断し（Ｓ８）、メモリ１４に未表示のメッセージがない場合（Ｓ９でＹＥＳ）、制御用マイコン１１は、テレビ１の電源をオフ状態にし（Ｓ１０）、処理を終了する。
【００２１】
一方、上記Ｓ８の判断の結果、メモリ１４に未表示のメッセージがある場合（Ｓ９でＮＯ）、制御用マイコン１１は、上述したＳ５〜Ｓ８の処理を繰り返す。
【００２２】
上記のように、本実施形態に係るテレビ１によれば、ユーザが出かける前に、テレビ１の電源を切断しようとしてリモコン５の電源ボタン５１を押下したとき、メモリ１４に記録されている未表示のメッセージをディスプレイ１２に表示させることができる。これにより、ユーザが出かける前にその日の注意事項を表したメッセージを確実に表示して、ユーザに当日必要な書類等について注意を促すことができる。また、ユーザがリモコン５の決定ボタン５２を押下すると、ディスプレイ１２に表示したメッセージをメモリ１４から消去することができるので、ディスプレイ１２に表示したメッセージをメモリ１４から容易に消去することができると共に、メモリ１４の空き容量が不足することを防ぐことができる。
【００２３】
また、制御用マイコン１１は、ネットワークインタフェース１５を介して電子メールを受信する電子メール受信手段として機能し、メモリ１４に、制御用マイコン１１が受信した電子メールのメッセージを記録することが可能である。そのため、ユーザは電子メールを用いてメモリ１４にメッセージを記録させることができるので、ユーザの利便性を向上させることができる。
【００２４】
また、メモリ１４に未表示のメッセージが記録されている場合、制御用マイコン１１は、スピーカ１３から警告音を発生させると共に、メモリ１４に記録されている未表示のメッセージをディスプレイ１２に表示させる。そのため、ディスプレイ１２にメッセージを表示させるだけでなく、スピーカ１３から警告音を発生させるので、ディスプレイ１２に表示されたメッセージの確認をユーザが見逃すことが少ない。
【００２５】
なお、本発明は、上記実施形態の構成に限定されるものではなく、発明の趣旨を変更しない範囲で適宜に種々の変更が可能である。例えば、上記実施形態では、リモコン５から入力されたメッセージだけでなく、携帯電話４やパーソナルコンピュータから送信された電子メールのメッセージをメモリ１４に記録する場合の例を示したが、これに限られず、リモコンから入力されたメッセージだけをメモリに記録するものであってもよい。
【図面の簡単な説明】
【００２６】
【図１】本発明の一実施形態に係るテレビ、このテレビを操作するリモコン、及びインターネットを介してテレビに接続された携帯電話の外観を示す図。
【図２】上記テレビの内部構成を示すブロック図。
【図３】上記テレビの電源をオフしたときの処理の手順を示すフローチャート。
【符号の説明】
【００２７】
１  テレビ（テレビジョン受像機）
２  ネットワークケーブル（ケーブル）
３  インターネット
５  リモコン（操作手段）
１１  制御用マイコン（制御手段、アラーム制御手段、電子メール受信手段、メッセージ判断手段、）
１２  ディスプレイ（表示手段）
１３  スピーカ（音声出力手段）
１４  メモリ（記録媒体）
１５  ネットワークインタフェース
１９  チューナ
５１  電源ボタン
５２  決定ボタン（確認ボタン）
【図１】
2007221595.tif 000003
【図２】
2007221595.tif 000004
【図３】
2007221595.tif 000005